(57)【要約】【課題】映像配布の利便性を向上させることを可能とする映像配信システムを提供する。【解決手段】映像情報送信端末３で送信した映像情報を受信して記憶するサーバー１と、映像情報に関連させた音を発することが可能なユーザー配布用の携行搬送媒体５と、携行搬送媒体５が発した音を入力し映像情報をサーバー１からダウン・ロードして画面に表示可能な端末装置７とを備え、携行搬送媒体５を配布するだけでサーバー１にアップ・ロードされた映像情報を端末装置７のスマート・フォンに簡単に表示することを特徴とする。【選択図】図１
2015015651.tif 000002
【特許請求の範囲】
【請求項１】
映像情報送信端末で送信した映像情報を受信して記憶するサーバーと、
前記映像情報に関連させた音を発することが可能なユーザー配布用の携行搬送媒体と、
前記携行搬送媒体が発した音を入力し前記映像を前記サーバーからダウン・ロードして画面に表示可能な端末装置と、
を備えたことを特徴とする映像配信システム。
【請求項２】
請求項１記載の映像配信システムであって、
前記サーバーは、前記映像情報を番地付けして記憶し、
前記携行搬送媒体は、番地付けされた音を発生させるためのボタン又は可動部を備えた、
ことを特徴とする映像配信システム。
【請求項３】
請求項２記載の映像配信システムであって、
前記携行搬送媒体のボタンは、異なる音情報を発生するために複数備えられ、
前記サーバーには、前記各音情報に対応した複数の映像情報が記憶されている、
ことを特徴とする映像配信システム。
【請求項４】
請求項１〜３の何れかに記載の映像配信システムであって、
前記携行搬送媒体は、カード状である、
ことを特徴とする映像配信システム。
【発明の詳細な説明】
【技術分野】
【０００１】
本発明は、結婚式などの各種シーンを撮像した映像を、カード等を介して端末装置に再生する映像配信システムに関する。
【背景技術】
【０００２】
結婚式の映像をリアルタイムで配信するシステムとして、特許文献１に記載された結婚式情報リアルタイム映像配信システムがある。
【０００３】
この結婚式情報リアルタイム映像配信システムでは、披露宴で撮影した、映像を早期にコンテンツセンターに送信し、コンテンツセンターでは、受信した映像が予めコンテンツセンターに登録され発行された、ＩＤ、パスワードに一致するかの照合を行った後、プロフィール情報などを付加し、ウェッブ動画配信業者（例えばＹｏｕ Ｔｕｂｅ（登録商標））を通して公開するものである。
【０００４】
したがって、予め、結婚式の日時を通知されていた関係者は、ウェッブサイトのホームページを開いて、式典の様子をリアルタイムに視聴することができる。その他、ホームページからは、結婚式に関する動画の投稿、結婚式場の検索をすることができる。
【０００５】
しかし、結婚式場から映像を記録したメディアを引き出物として持ち帰り、自宅等で再生することの要求には応ずることができないという問題がある。
【０００６】
一方、コンサート会場などでは、ＤＶＤ記録装置を複数台設置し、コンサートを撮像した映像をＤＶＤに記録して配布することも行われている。また、このようなＤＶＤを郵送により配布することもできる。
【０００７】
かかる場合、映像を記録したＤＶＤを持ち帰り、或いは郵送により受け取り、自宅で手軽に再生することができる。
【０００８】
しかし、コンサート会場等でＤＶＤ記録装置により映像をＤＶＤに記録する場合、記録に時間を要することから、多数台のＤＶＤ記録装置を必要とし、且つ多数の人が集中する可能性があるため、混乱を招き、利便性に問題がある。
【先行技術文献】
【特許文献】
【０００９】
【特許文献１】特願２０１０−３４８０４号公報
【発明の開示】
【発明が解決しようとする課題】
【００１０】
解決しようとする問題点は、映像を記録したＤＶＤ等の配布では、利便性に問題があった点である。
【課題を解決するための手段】
【００１１】
本発明は、映像配布の利便性を向上させることを可能とするため、映像情報送信端末で送信した映像情報を受信して記憶するサーバーと、前記映像情報に関連させた音を発することが可能なユーザー配布用の携行搬送媒体と、前記携行搬送媒体が発した音を入力し前記映像情報を前記サーバーからダウン・ロードして画面に表示可能な端末装置とを備えたことを特徴とする。
【発明の効果】
【００１２】
本発明は、上記構成としたため、サーバーにアップ・ロードされた映像情報を端末装置で表示する際に、結婚式場等で配布した携行搬送媒体、例えばカードから音を発生させ、この音を端末装置で受信させるだけで、音に関連した映像情報を表示させることができる。
【００１３】
したがって、結婚式場等では、カードなどの携行搬送媒体を配布するだけでよく、この種の映像配信に利便性が向上する。
【図面の簡単な説明】
【００１４】
【図１】映像配信システムの概念図である。（実施例１）
【図２】映像配信システムのブロック図である。（実施例１）
【図３】映像情報のアップ・ロードを示すフローチャートである。（実施例１）
【図４】映像情報のダウン・ロードを示すフローチャートである。（実施例１）
【図５】映像配信システムの概念図である。（実施例２）
【発明を実施するための形態】
【００１５】
映像配布の利便性を向上させることを可能にするという目的を、映像情報送信端末で送信した映像情報を受信して記憶するサーバーと、前記映像情報に関連させた音を発することが可能なユーザー配布用の携行搬送媒体と、前記携行搬送媒体が発した音を入力し前記映像情報を前記サーバーからダウン・ロードして画面に表示可能な端末装置とを備えたことで実現した。
【００１６】
前記サーバーは、前記映像情報を番地付けして記憶し、前記携行搬送媒体は、番地付けされた音を発生させるためのボタン又は可動部を備えてもよい。
【００１７】
前記携行搬送媒体のボタンは、異なる音情報を発生するために複数備えられ、前記サーバーには、前記各音情報に対応した複数の映像情報が記憶されてもよい。
【００１８】
前記携行搬送媒体は、カード状であってもよい。
【実施例１】
【００１９】
図１、図２は、実施例1に係り、図１は、映像配信システムの概念図、図２は、映像配信システムのブロック図である。
【００２０】
図１、図２のように、本実施例の映像配信システムは、ウェディング・カード・システムとして適用したものであり、サーバー１と映像情報送信端末３とユーザー配布用のカード５と端末装置である映像表示可能な携帯端末７とを備え、サーバー１と映像情報送信端末３と携帯端末７とがインターネット接続される。
［サーバー］
サーバー１は、撮像した映像情報を映像情報送信端末３で送信することでアップ・ロード可能であり、通信部９と記憶部１１と制御部１３とを備えている。
【００２１】
通信部９は、映像情報送信端末３及び携帯端末７との間で、通信による情報の送受信を行うインターフェイスである。
【００２２】
記憶部１１は、各種のプログラムを記憶するＲＯＭ（Read Only Memory）、作業領域としてのＲＡＭ（Random Access Memory）、補助記憶装置としてのＨＤＤ（Hard Disk Drive）等を有する。この記憶部１１には、映像情報送信端末３から送信された映像情報が、音情報及び番地情報に関連して記憶される。
【００２３】
制御部１３は、記憶部１１内のプログラムを実行することで、映像受信処理部１５、映像送信処理部１７、番地付け処理部１９として動作する。
【００２４】
映像受信処理部１５は、映像受信処理機能を実現し、映像情報送信端末３から送信された映像情報を受信し、記憶部１１に映像情報として記憶させる。
【００２５】
映像送信処理部１７は、映像送信処理機能を実現し、携帯端末７から送信された音情報を受信処理し、音情報に含まれる波形の一致により番地情報を特定し、番地情報が一致する映像情報を携帯端末７に送信する。
【００２６】
番地付け処理部１９は、番地付け処理機能を実現し、映像情報送信端末３から送信された映像情報を加工し、映像情報に対し音情報に関連した番地付けがなされ、記憶部１１に番地情報として記憶させる。
［映像情報送信端末］
映像情報送信端末３は、例えばＰＣ（Personal computer）で構成され、図１で示す結婚式場２０において、式の様子を撮像した映像をサーバー１に送信するものであり、通信部２１、記憶部２３、制御部２５を備えている。撮像した映像は、デジタル・カメラ（図示せず）やビデオ・カメラ（図示せず。）で撮像した動画或いは静止画の何れでもよい。
【００２７】
通信部２１は、サーバー１との間で、通信による情報の送受信を行うインターフェイスである。
【００２８】
記憶部２３は、各種のプログラムを記憶するＲＯＭ（Read Only Memory）、作業領域としてのＲＡＭ（Random Access Memory）、補助記憶装置としてのＨＤＤ（Hard Disk Drive）等を有する。この記憶部２１には、入力された映像情報が記憶される。
【００２９】
制御部２５は、記憶部２１内のプログラムを実行することで、映像入力制御部２７、映像送信制御部２９として動作する。
【００３０】
映像入力制御部２７は、撮像されて入力された映像を記憶部２３に記憶させる。
【００３１】
映像送信制御部２９は、記憶部２３から映像情報をサーバー１へ送信し、サーバー１が前記のように記憶部１１に記憶する。
【００３２】
映像情報送端末３は、結婚式場に備え、撮像後に直ちに映像情報に番地付けの加工を施し、映像情報及び番地情報をアップ・ロードするように構成することもできる。
［端末装置］
携帯端末７は、音を信号として入力し映像情報をサーバー１からダウン・ロードして画面に表示可能な端末装置であり、例えばコンピュータ機能を併せ持った携帯端末であるスマート・フォンにより構成されている。携帯端末７は、タブレット端末等で構成することもでき、端末装置としては、ＰＣ等で構成することもできる。
【００３３】
携帯端末７は、音情報を受信し、その音情報をサーバー１に送信し、番地情報に一致する映像情報をサーバー１から受信し、表示するものである。この携帯端末７は、通信部３１、表示部３３、マイク３５、記憶部３７、制御部３９を備えている。
【００３４】
通信部３１は、サーバー１との間で、通信による情報の送受信を行うインターフェイスである。
【００３５】
表示部３３は、サーバー１から受信した映像情報を画面表示するものである。
【００３６】
マイク３５は、カード５から発生する音情報を入力するものである。
【００３７】
記憶部３７は、各種のプログラムを記憶するＲＯＭ（Read Only Memory）、作業領域としてのＲＡＭ（Random Access Memory）、補助記憶装置としてのＨＤＤ（Hard Disk Drive）等を有する。この記憶部３７に記憶されている。プログラムは、本実施例において予めダウン・ロードしたアプリケーションを含む。
【００３８】
制御部３９は、記憶部３７内のアプリケーションを実行することで、音情報送信処理部４１、映像受信処理部４３として動作する。
【００３９】
音情報送信処理部４１は、マイク３３で入力した音情報をサーバー１に送信する。
【００４０】
映像受信処理部４３は、サーバー１からダウン・ロードされた映像を受信し、表示部３３に画面表示させる。
［カード］
図１のカード５は、映像情報に関連させた音を発することが可能なユーザー配布用の携行搬送媒体であり、例えばＮＯ１〜ＮＯ３までの番地付けがなされたボタン４５、４７、４９が備えられている。それぞれのボタン４５、４７、４９を押すと、番地付けがなされた異なる音が発せられる。この番地付けは、サーバー１の番地情報に対応している。カード５が発する音情報は、人にはほとんど聞こえない周波数（例えば、１８ｋｈｚ）の音とし、携帯端末７との間で音通信を行う。
【００４１】
カード５の材質は、紙、プラスチック、金属等が採用され、特に限定はされない。
【００４２】
カード５は、多数枚が用意され、封書５１等として招待客５３に引き出物と併せて配布等されるものでる。
【００４３】
カード５は、カード状の携行搬送媒体の一例であり、携行搬送媒体としては、必ずしもカード状である必要はなく、メッセージが書かれた書状、冊子、葉書、引き出物として配布される立体物等、音を出すことができればよい。
【００４４】
ボタン４５、４７、４９を押すことによることに代えて、書状、冊子を開くことで音を発生させてもよい。ボタンに代えて、スライ部、折り曲げ部、引き出し部等の可動部に代えることもできる。
【００４５】
映像情報が単一であれば、音情報は、単一種でもよく、単一の映像情報及び音情報の場合、必ずしも番地付けは必要としない。
［映像配信処理］
（アップ・ロード）
図３は、映像情報のアップ・ロードを示すフローチャートである。
【００４６】
ステップＳ１（以下、ステップの語は省略する。）では、「カメラ側から撮像データの送信」が行われ、映像情報送信端末３のＵＳＢポートに接続されたデジタル・カメラ（図示せず）やビデオ・カメラ（図示せず。）により、撮像した動画或いは静止画の映像情報が映像入力制御部２５の制御で入力される。入力された映像情報は、記憶部２３に記憶され、Ｓ２に移行する。
【００４７】
Ｓ２では、「サーバー側で撮像データの受信」が行われ、映像送信制御部２９の制御で送信された映像情報が、サーバー１に送信され、Ｓ３に移行する。
【００４８】
Ｓ３では、「サーバーに撮像データの記憶」により、サーバー１の映像受信処理部１５の制御により記憶部１１に映像情報が記憶される。サーバー１では、番地付け処理部１９の制御により、記憶部１１の映像情報を加工し、番地付けがなされる。
【００４９】
番地付けは、本実施例において、「入場シーン」がＮＯ１、「ケーキ入力シーン」がＮＯ２、「新郎挨拶シーン」がＮＯ３等と番地付けされ、番地情報として記憶部１１に記憶される。記憶部１１には、番地情報に関連して音情報も記憶させる。音情報は、電気信号に変換されており、番地情報毎に異なる波形パターンを含んでいる。この波形パターンの一致により音情報から番地情報を特定し、番地情報から映像情報を特定する。
【００５０】
（ダウン・ロード）
図４は、映像情報のダウン・ロードを示すフローチャートである。
【００５１】
ステップＳ１１では、「携帯端末が音受信」の処理が行われる。この処理に際し、カード５のボタン４５、４７、４９の何れかが押されると、ＮＯ１〜ＮＯ３の番地付けがなされた音が発せられ、携帯端末７のマイク３３で受信され、音情報送信処理部４１の処理により電気信号に変換され、サーバー１に送信され、Ｓ１２に移行する。
【００５２】
Ｓ１２では、「ＮＯ１〜３の何れの音か？」をサーバー１の映像送信処理部１７の処理により判別し、Ｓ１３、Ｓ１４、Ｓ１６の何れかに移行する。
【００５３】
Ｓ１３は、ＮＯ１の判別により「入場シーン受信・表示」が行われ、映像送信処理部１７がＮＯ１の番地情報に対応した「入場シーン」の映像情報を記憶部１１から読み出し、携帯端末７に送信する。
【００５４】
この送信により携帯端末７の映像受信処理部４３が表示部３３の画面に「入場シーン」を表示させる。
【００５５】
Ｓ１４は、ＮＯ２の判別により「ケーキ入刀シーン受信・表示」が行われ、映像送信処理部１７がＮＯ２の番地情報に対応した「ケーキ入刀シーン」の映像情報を記憶部１１から読み出し、携帯端末７に送信する。
【００５６】
この送信により携帯端末７の映像受信処理部４３が表示部３３の画面に「ケーキ入刀シーン」を表示させる。
【００５７】
Ｓ１５は、ＮＯ３の判別により「新郎挨拶シーン受信・表示」が行われ、映像送信処理部１７がＮＯ３の番地情報に対応した「新郎挨拶シーン」の映像情報を記憶部１１から読み出し、携帯端末７に送信する。
【００５８】
この送信により携帯端末７の映像受信処理部４３が表示部３３の画面に「新郎挨拶シーン」を表示させる。
【００５９】
こうして、ダウン・ロードされた映像情報は、携帯端末７の表示部３３に適宜画面表示させることがで、カード５さえあれば、何時でも、簡単に結婚式の様子を再生することができる。
【００６０】
このように、結婚式場２０で撮像した映像情報を、サーバー１にアップ・ロードし、招待客５３には、番地付けされた音を発することができるカード５を配布する。
【００６１】
招待客５３が、帰路等においてカード５のボタン４５、４７、４９の何れかを押すと、ＮＯ１〜ＮＯ３の何れかの番地付けがなされた音が発せられ、携帯端末７のマイク３３で受信され、その音情報に応じた映像情報がサーバー１から送信され、携帯端末７の表示部３３の画面に表示させることができる。
【００６２】
カード５を配布するだけでサーバー１にアップ・ロードされた映像情報を端末装置３のスマート・フォンに表示することができる。
［実施例の効果］
本実施例のウェディング・カード・システムでは、デジタル・カメラ（図示せず）やビデオ・カメラ（図示せず。）により撮像した動画或いは静止画の映像情報を受信して記憶するサーバー１と、映像情報に関連させた音を発することが可能なユーザー配布用のカード５と、音を信号として入力し映像情報をサーバー１からダウン・ロードして画面に表示可能な携帯端末７であるスマート・フォンを備えた。
【００６３】
このため、カード５を配布するだけでサーバー１にアップ・ロードされた映像情報を端末装置３のスマート・フォンに簡単に表示することができる。
【００６４】
サーバー１は、映像情報を番地付けして記憶し、携帯端末７は、番地付けされた音を発生させるためのボタンを備えた。
【００６５】
このため、番地付けされた音を簡単に選択し、発することができる。
【００６６】
カード５のボタン４５、４７、４９は、異なる音情報を発生するために複数備えられ、サーバー１には、各音情報に対応した複数の映像情報が記憶されている。
【００６７】
このため、ボタン４５、４７、４９を選択操作するだけで、結婚式等の異なるシーンを簡単に再生することができる。
【００６８】
携行搬送媒体は、カード５である。
【００６９】
このため、結婚式場２０等で多数の人に簡単に短時間で配布することができる。
【実施例２】
【００７０】
図５は、映像配信システムの図１に対応する概念図である。
【００７１】
本実施例では、Ｐ・Ｍ・Ｏ（Pass Message On）システムとして、ウェディング・カード・システム以外のものを示す。
【００７２】
本発明は、ウェディング・カード・システム以外に、子供の教育システム、コンサート・システム、イベント・システム、ホームパーティー・システム、宣伝広告システム、郵便システム、スポーツ観戦システム等と、人が集まり、映像が撮れる場所等で撮像した映像を配信する場合、広告映像を不特定の人に配信する場合等にも、適用することができる。
【００７３】
このシステムにおいて、プレゼント、購入、配布等の手段により、カード５５、絵本５７、フィギャー或いは縫いぐるみ５９等を、招待客や不特定の人５４に配布し頒布することになる。カード５５、絵本５７、フィギャー或いは縫いぐるみ５９等には、単一又は複数種の音を発生するボタンや可動部、その他を備えさせる。絵本５７の場合は、絵本を開くときにページ毎に異なる音通信を行わせることもできる。
【００７４】
カード５５、絵本５７、フィギャー或いは縫いぐるみ５９等は、予めアプリケーションをダウン・ロードした携帯端末７等と音通信を行い、サーバー１にアップ・ロードした映像情報を携帯端末７等に手軽に表示させることができる。
【００７５】
さらに述べると、子供の教育システムでは、教科書或いはドリル毎に対応させた映像をアップ・ロードし、教科書或いはドリル等を音通信を行う携行搬送媒体とする。
【００７６】
コンサート・システムでは、コンサートのシーンを映像として撮像し、コンサートのチケット、或いはその他の配布物を携行搬送媒体とする。
【００７７】
イベント・システムでは、各種イベントのシーンを映像として撮像し、イベントのチケット、或いはその他の配布物を携行搬送媒体とする。
【００７８】
ホームパーティー・システムでは、ホームパーティーのシーンを映像として撮像し、用意したカード、或いはその他の配布物を携行搬送媒体とする。バースデーパーティでは、バースデーメッセージを映像としてもよい。
【００７９】
宣伝広告・システムでは、広告対象を映像として撮像し、チラシ、その他の配布物を携行搬送媒体とする。
【００８０】
郵便システムでは、ビデオレター等の伝達したい対象を映像とし、葉書等を携行搬送媒体とする。
【００８１】
スポーツ観戦システムでは、スポーツ観戦のシーンを映像として撮像し、入場チケット、或いはその他の配布物を携行搬送媒体とする。
【符号の説明】
【００８２】
１  サーバー
５  カード（携行搬送媒体）
７  携帯端末（端末装置）
４５、４７、４９  ボタン
【図１】
2015015651.tif 000003
【図２】
2015015651.tif 000004
【図３】
2015015651.tif 000005
【図４】
2015015651.tif 000006
【図５】
2015015651.tif 000007